【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
拡張された通信アプリケーション内で最小化された状態で通信ナビゲーションバーを提供する、コンピューティングデバイスにおいて少なくとも部分的に実行される方法であって、
ユーザーインターフェイスコンテキスト、デバイスタイプ、複数のユーザー選好及びユーザー選択のうちの１つに基づいて、通信ナビゲーションバーの状態を決定するステップであって、前記通信ナビゲーションバーは、一時的なプレビュー及び情報バッジの形式のサマリー情報を提供し、前記一時的なプレビューが永続的な表示のためにドッキングされることを可能にする、ステップと、
前記決定された状態が最小化された状態である場合、前記通信アプリケーションのユーザーインターフェイス内に、電子メール交換、スケジューリング、連絡先管理及びタスク管理のうちの少なくとも１つ以上に関連付けられる前記通信アプリケーションの個々のモジュールを表す複数のアイコンを含む、最小化された状態の通信ナビゲーションバーを表示するステップと、
前記通信ナビゲーションバーの前記複数のアイコンのうちの１つに対するホバーアクションを検出することに応答して、前記個々のモジュールのうちの別の１つに関連付けられるコンテンツを表示する前記通信アプリケーションのメイン表示と同時に、前記アイコンによって表される前記個々のモジュールに関連付けられるコンテンツの一時的なプレビューを表示するステップと、
前記一時的なプレビューの選択を検出することに応答して、前記メイン表示内のアイコンによって表される前記個々のモジュールに関連付けられる前記コンテンツを表示するように前記ユーザーインターフェイスを修正するステップと、
ユーザー選択に応答して前記メイン表示及び前記一時的なプレビューの両方を同時に表示するために、前記メイン表示に対する前記一時的なプレビューのドッキングを可能にするステップと
を含む方法。
【請求項２】
モジュールを表す対応する前記通信ナビゲーションバーのアイコンに隣接する前記情報バッジを介して、それぞれのモジュール内の関心のある項目の数を表示するステップをさらに含む請求項１に記載の方法。
【請求項３】
前記ユーザーインターフェイスコンテキストは、現在表示されているモジュール、利用可能な表示領域、表示されるコンテンツ、アプリケーションタイプ、デバイスタイプ、及びユーザー資格情報の組のうちの少なくとも１つを含む請求項１に記載の方法。
【請求項４】
前記通信ナビゲーションバーのアイコンの１つ又は複数に隣接するテキストチップを表示するステップをさらに含む請求項１に記載の方法。
【請求項５】
前記通信ナビゲーションバーのアイコンをアニメーション化された方法で表示するステップをさらに含む請求項１に記載の方法。
【請求項６】
前記ユーザーインターフェイスに表示されるコンテンツのタイプ、前記ユーザーインターフェイスに表示されるコンテンツのレイアウト、利用可能な表示領域、ユーザー資格情報、並びに、前記ユーザーインターフェイスについての言語選択、地理的位置、時間帯、及びユーザーの国のうちの１つ又は複数を含む位置属性のうちの１つ又は複数における変化に応答して、前記最小化された通信ナビゲーションバーを新しい位置へと移動させるステップをさらに含む請求項１に記載の方法。
【請求項７】
拡張された通信アプリケーションに最小化された状態の通信ナビゲーションバーを提供するコンピューティングデバイスであって、
入力デバイスと、
メモリーと、
前記メモリー及び前記入力デバイスに結合されるプロセッサーであって、前記通信アプリケーションを実行し、前記通信アプリケーションに関連付けられるユーザーインターフェイスを画面上に表示させる、プロセッサーと
を具備し、前記プロセッサーは、
ユーザーインターフェイスコンテキスト、デバイスタイプ、複数のユーザー選好及びユーザー選択のうちの１つに基づいて前記通信ナビゲーションバーの状態を決定し、前記通信ナビゲーションバーは、一時的なプレビュー及び情報バッジの形式のサマリー情報を提供し、前記一時的なプレビューが永続的な表示のためにドッキングされることを可能にし、前記ユーザーインターフェイスコンテキストは、現在表示されているモジュール、利用可能な表示領域、表示されるコンテンツ、アプリケーションタイプ、デバイスタイプ、及びユーザー資格情報の組のうちの少なくとも１つを含み、
前記決定された状態が最小化された状態である場合、前記通信アプリケーションのユーザーインターフェイス内に、電子メール交換、スケジューリング、連絡先管理及びタスク管理のうちの少なくとも１つ以上に関連付けられる前記通信アプリケーションの個々のモジュールを表す複数のアイコンを含む、最小化された状態の通信ナビゲーションバーを表示し、
モジュールを表す対応するアイコンに隣接する情報バッジを介して、それぞれのモジュール内の関心のある項目の数を表示し、前記情報バッジは、新しい電子メール、新しいカレンダー項目及び現在のタスクのうちの１つ以上を示し、
前記通信ナビゲーションバーの前記複数のアイコンのうちの１つに対するホバーアクションを検出することに応答して、前記個々のモジュールのうちの別の１つに関連付けられるコンテンツを表示する前記通信アプリケーションのメイン表示と同時に、前記アイコンによって表される前記個々のモジュールに関連付けられるコンテンツの一時的なプレビューを表示し、
前記一時的なプレビューの選択を検出することに応答して、前記メイン表示内のアイコンによって表される前記個々のモジュールに関連付けられる前記コンテンツを表示するように前記ユーザーインターフェイスを修正し
ユーザー選択に応答して前記メイン表示及び前記一時的なプレビューの両方を同時に表示するために、前記メイン表示に対する前記一時的なプレビューのドッキングを可能にする
ように構成されるコンピューティングデバイス。
【請求項８】
前記プロセッサーは、
前記最小化された通信ナビゲーションバーの視覚的効果を高めるために、前記アイコンに関連付けられるカラースキーム、シェーディングスキーム、テキストスキーム、グラフィックスキーム、及びアニメーションスキームのうちの１つ又は複数を使用するようにさらに構成される請求項７に記載のコンピューティングデバイス。
【請求項９】
前記プロセッサーは、
前記ユーザーインターフェイスコンテキスト及びユーザー選択の変化を検出することのうちの一方に応答して、前記通信ナビゲーションバーを完全な状態に変更するようにさらに構成され、前記完全な状態の通信ナビゲーションバーは前記モジュールを表すテキスト項目を含む請求項７に記載のコンピューティングデバイス。
【請求項１０】
前記最小化された通信ナビゲーションバーにおけるアイコンのサイズ及び数のうちの少なくとも１つは、動的に調整可能であるか、固定されているか、ユーザー設定可能であるかのいずれかである請求項７に記載のコンピューティングデバイス。
【請求項１１】
前記入力デバイスは、タッチ、ジェスチャー、音声、加速度計センサーベースの入力、方位センサーベースの入力、光学的にキャプチャーされたジェスチャー、時間ベースの入力、所定のキーボード入力の組み合わせ、並びに、指、ペン及びマウスのうちの１つを介した近接性入力のうちの１つの形式で入力を受け付けるように構成される請求項７に記載のコンピューティングデバイス。
【請求項１２】
拡張された通信アプリケーション内で最小化された状態の通信ナビゲーションバーを提供する、コンピューティングデバイスにおいて少なくとも部分的に実行される方法であって、
ユーザーインターフェイスコンテキスト、デバイスタイプ、複数のユーザー選好及びユーザー選択のうちの１つに基づいて通信ナビゲーションバーの状態を決定するステップであって、前記通信ナビゲーションバーは、一時的なプレビュー及び情報バッジの形式のサマリー情報を提供し、前記一時的なプレビューが永続的な表示のためにドッキングされることを可能にし、前記ユーザーインターフェイスコンテキストは、現在表示されているモジュール、利用可能な表示領域、表示されるコンテンツ、アプリケーションタイプ、デバイスタイプ及びユーザー資格情報の組のうちの少なくとも１つを含む、ステップと、
前記決定された状態が最小化された状態である場合、前記通信アプリケーションのユーザーインターフェイス内に、電子メール交換、スケジューリング、連絡先管理及びタスク管理のうちの少なくとも１つ以上に関連付けられる前記通信アプリケーションの個々のモジュールを表す複数のアイコンを含む、最小化された状態の通信ナビゲーションバーを表示するステップと、
モジュールを表す対応するアイコンに隣接する情報バッジを介して、それぞれのモジュール内の関心のある項目の数を表示するステップであって、前記情報バッジは、新しい電子メール、新しいカレンダー項目及び現在のタスクのうちの１つ以上を示す、ステップと、
前記通信ナビゲーションバーのアイコンのうちの１つに対するホバーアクションを検出することに応答して、前記通信ナビゲーションバーのアイコンのうちの１つによって表されるモジュールに関連付けられるコンテンツの一時的なプレビューを表示するステップと、
前記一時的なプレビューのうちの１つの選択を検出することに応答して、メイン表示内のアイコンによって表される前記個々のモジュールに関連付けられる前記コンテンツを表示するように前記ユーザーインターフェイスを修正するステップと、
ユーザー選択に応答して前記メイン表示及び前記一時的なプレビューの両方を同時に表示するために、前記メイン表示に対する前記一時的なプレビューのドッキングを可能にするステップと
を含む方法。
【請求項１３】
現在表示されているコンテンツに関連付けられるモジュールに対応するアイコンが前記通信ナビゲーションバーから除去されるように、前記ユーザーインターフェイスの現在の内容に基づいて、前記通信ナビゲーションバーに表示されるアイコンを修正するステップをさらに含む請求項１２に記載の方法。